(57)【要約】【課題】【解決手段】衣服形状のストラップジャケットを含む安全指示ジャケットであり、自転車、ローラーブレード、スケートボード、スキー、ジェットスキー、水上スキー、スノーモービル等の開放型の乗り物の操縦者の衣服の上に着用することができるものであって、指示器（２７、３４）と、他の車両、他の開放型の乗り物及び道路とその付近の歩行者に対して注意を促す警報機（４０）とを有するものである。更に、前記指示器（２７、３４）は、スイッチパネルアセンブリ（３７）と、バッテリアセンブリ内の電源と、複数のワイヤを介するその他の装置と電気通信をするものであって、前記指示器（２７、３４）を作動し、照射及び断続的にフラッシュさせ、作動、継続的に照射し、旋回シグナル、移動シグナル、徐行シグナル及び停止シグナルを示すための視覚的なシグナルを生成し、また、警告シグナル用にサウンドモデュレーションのためのホーンアセンブリ（４０）を生成するものである。また、この安全指示ジャケットは費用効果も提供するものであって、１つのセーフティジャケットを所有することにより、前記ジャケットの構成要素を任意に改良することなく、着用者は同じものを使用して様々なアクティビティをしてもよいものである。【選択図】図１
2004537660.tif 000002
【特許請求の範囲】
【請求項１】
開放型の乗り物の操縦者向け安全指示器ジャケットであって、前記安全指示器ジャケットは；
（ａ）正面左、正面後ろ、背面左、背面右、左肩及び右肩に貼り付けられた６つの指示器を有するストラップジャケットであって、バッテリ機構の電源に接続されているスイッチング機構によりコントロールされるイルミネーション機構を有する、前記ストラップジャケットと、
（ｂ）首周りに着用されるショルダーパネル部材であって、左肩から右肩まで延び、分かれた正面部分を有し、外側フラップを内側フラップに重ねてＶｅｌｃｒｏ要素によって固定される、前記ショルダーパネル部材と、
（ｃ）バックル部材を有するウエスト周辺のウエストバンド部材であって、前記バックルの一部分に取り付けられた一端と、前記バックルのレセプタクル部分に取り付けられた他端とを有し、両方の部分を互いに挿入して前記ウエストバンドを結合させるものである、前記ウエストバンド部材と、
（ｄ）４本のショルダーストラップ部材であって、前記ショルダーストラップ部材の２本は前記ショルダーパネル部材の正面左及び正面右に貼り付けられ、別の２本のショルダーストラップ部材は前記ショルダーパネル部材の背面左及び右に貼り付けられている、前記４つのショルダーストラップ部材と、
（ｅ）前記バックル部材によって結合されている長め部分及び短め部分の２つの部分を夫々有する前記正面左及び正面右のショルダーストラップ部材と、
（ｆ）各前記ショルダーストラップ部材の長め部分の一部と重なる、２本の補助的なショルダーストラップ部材と、
（ｇ）バックル部材によって結合された２つの部分を夫々有する一対の側面ストラップ部材であって、ショルダーストラップ部材の各部分は正面左と背面左、及び正面右と背面右が貼り付けられているものである、前記側面ストラップ部材と、
（ｈ）前記側面ストラップ部材の下、前記安全指示ジャケット周辺にある胸部ストラップ部材であって、３つの部分を有し、２つの前記正面部分は正面左右のショルダーストラップ部材に縫い合わされ、前記背面部分は背面左右のショルダーストラップ部材に縫い合わされており、各部分が３つのバックル部材によって結合されている、前記胸部ストラップ部材と、
（ｉ）左右両方のショルダーパネル部材に取り付けられている一対のアームストラップ部材と、
（ｊ）一対のフラップ部材であって、各前記フラップ部材の一端は正面ショルダーストラップ部材に縫い合わされ、他端は取り付けずに自在に動く状態であり、前記フラップを前記自由端から開くことができ、前記「バックパック」ストラップを前記ショルダーストラップ部材の上で位置決めすることができる、前記フラップ部材と、
（ｋ）６つのシグナルランプアセンブリであって、２つの前記ランプアセンブリは前記ショルダーパネル部材に配置された左右のアームストラップ部材に固定され、２つの前記ランプアセンブリは正面左右の補助的なショルダーストラップ部材に固定され、他の２つは背面左右のショルダーストラップ部材に固定される、前記６つのシグナルランプアセンブリと、
（ｌ）３つのカラーゾーンを有する各前記シグナルランプアセンブリであって、前記カラーゾーンの夫々が光線を生成する電光を有し、また、前記ライトアセンブリを作動し、照射及び断続的にフラッシュさせ又は継続的に照射させる他の装置を有する、前記シグナルランプアセンブリと、
（ｍ）ホーンアセンブリと、
（ｎ）前記左右のショルダーストラップ部材に貼り付けられた２つのスイッチパネルアセンブリであって、夫々が３つの押しボタンスイッチと、前記押しボタンスイッチを作動させるために必要な装置とを有するものである、前記スイッチパネルアセンブリと、
（ｏ）バッテリアセンブリ内の電源であって、前記ライトアセンブリと、前記スイッチパネルアセンブリと、前記ホーンアセンブリと、全アセンブリ及び前記シグナルライトアセンブリの作動用の全アセンブリを作動させるために必要な他の装置とに電気接続された、前記バッテリアセンブリ内の電源と、
（ｐ）各前記ランプアセンブリに固定された半透明のカバーレンズと、
（ｑ）防水のベルト材、ランプアセンブリ用の防水シール、前記スイッチアセンブリ、前記ホーンアセンブリ、前記バッテリアセンブリ内の前記電源及び前記他の装置とから作られる前記安全指示ジャケットと、
（ｒ）胸部ストラップ部材とウエストバンド部材との間で、前記安全指示ジャケットの背面にある２つのポーチであって、各前記ポーチは２つのコンパートメントに分けられ、１つのポーチはバッテリアセンブリ内の電源及び緊急用の予備バッテリを保持し、別のポーチは使用者が携帯電話、水筒又は任意の他のアイテムを運ぶためのものである、前記２つのポーチと、
（ｓ）前記ウエストバンド部材の背面にあるＯＮ−ＯＦＦスイッチアセンブリにであって、前記ＯＦＦ位置は、前記シグナルライトアセンブリ、スイッチパネルアセンブリ、ホーンアセンブリ及び前記安全指示ジャケットにある全ての他の装置を停止及びシャットオフし、前記ＯＮ位置は、前記ＯＦＦ位置で停止する全ての前記アセンブリを作動させるものである、前記ＯＮ−ＯＦＦスイッチアセンブリと、
を有するものである。
【請求項２】
請求項１記載の安全指示ジャケットにおいて、前記背面ショルダーストラップ部材の一端は前記ショルダーパネル部材に貼り付けられ、前記他端は縫合によって前記ウエストバンド部材に貼り付けられるものであり、前記ショルダーパネルとウエストバンドは共に保持されるものである。
【請求項３】
請求項１記載の安全指示ジャケットにおいて、前記正面左右のショルダーストラップ部材の夫々は、１つの長め部分と１つの短め部分との２つの部分を有するものであって、前記長め部分の一端は縫合によって前記ショルダーパネル部材に貼り付けられ、前記ウエストバンドへ向かって延び前記バックル部材の１部分に取り付けられる他端を有するものであり、前記ショルダーストラップ部材の前記短め部分は、前記正面の前記ウエストバンド部材に縫合された一端と、前記バックル部材の対向部分に取り付けられた他端とを有するものであり、前記バックルの両部分は互いに挿入されて前記ショルダーストラップの長め及び短め部分を共に結合するものである。
【請求項４】
請求項３記載の安全指示ジャケットにおいて、前記ショルダーストラップ部材の前記長め部分は補助的なショルダーストラップ部材を有するものであって、これにより前記補助的なストラップ部材の一端は前記ショルダーストラップ部材の長め部分に貼り付けられ、他端は前記ショルダーパネル部材に固定されるものである。
【請求項５】
請求項４記載の安全指示ジャケットにおいて、前記補助的なショルダーストラップ部材は前記ショルダーパネル部材に固定されるものであって、これにより前記補助的なショルダーストラップ部材を締める又は前記ショルダーパネル部材から外すことができる。
【請求項６】
請求項１記載の安全指示ジャケットにおいて、２つの側面ストラップ部材の夫々が、バックル部材によって結合された２つの部分を有し、ショルダーストラップ部材の左正面と左背面、右正面と右背面に夫々貼り付けられているものであって、これにより前記安全指示ジャケットはタイトフィットの衣類若しくはルーズフィットの衣類として調節することができるものである。
【請求項７】
請求項１記載の安全指示ジャケットは、前記３つの部分の夫々が前記３つのバックル部材をかみ合わせることによって結合されている胸部ストラップ部材を更に有するものであって、これにより前記安全指示ジャケットは着用者の体に対してフィット若しくはルーズな衣類として調節をすることができるものである。
【請求項８】
請求項１記載の安全指示ジャケットにおいて、６つのシグナルランプアセンブリは、各ショルダーストラップ部材、前記補助的なショルダーストラップ部材、及び前記ショルダーアームストラップ部材とに固定されるものである。
【請求項９】
請求項８記載の安全指示ジャケットにおいて、２つのアームシグナルランプは、前記シグナルランプベース部材のスプリット部分を介して前記アームストラップ部材を挿入することにより、前記左右の前記ショルダーパネル部材に配置された前記ショルダーアームストラップ部材に固定され、前記ベースをＶｅｌｃｒｏ要素によって前記ショルダーパネル部材に固定しているものである。
【請求項１０】
請求項８記載の安全指示ジャケットにおいて、前記２つのシグナルランプアセンブリは、アタッチメントの一点で前記背面左右のショルダーストラップ部材の上端に固定され、これにより前記ランプアセンブリは前記着用者のアーム側及び後ろ側への動きの柔軟性を有する。
【請求項１１】
請求項１０記載の安全指示ジャケットにおいて、前記シグナルランプのベースはＶｅｌｃｒｏ要素によって前記ショルダーストラップ部材に固定されるものである。
【請求項１２】
請求項８記載の安全指示ジャケットにおいて、前記２つのシグナルランプアセンブリは、前記シグナルランプの前記ベース部材の前記オープンスプリットを介して前記補助的なストラップ部材を挿入することにより、前記補助的なショルダーストラップ部材の夫々に固定されるものである。
【請求項１３】
請求項１２記載の指示ジャケットにおいて、成形プラスチックベースで作られた前記シグナルランプアセンブリは、分かれた２つの開端と、外側ベースにＶｅｌｃｒｏ要素とを有するものであって、これにより前記シグナルランプアセンブリは、Ｖｅｌｃｒｏ要素によって前記正面ショルダーストラップ部材及び前記正面フラップ部材に固定される。
【請求項１４】
請求項１記載の指示ジャケットにおいて、前記シグナルランプアセンブリの夫々は、各前記カラーゾーンに少なくとも１つのライトアセンブリと、前記ライトアセンブリを照射させるために必要な他の装置とを含むものである。
【請求項１５】
請求項１記載の指示ジャケットにおいて、前記正面左右のショルダーストラップ部材に貼り付けられた２つのスイッチパネルアセンブリは、夫々３つの押しボタンスイッチと他の装置とを有するものであって、これにより前記各押しボタンは、バッテリアセンブリ内の電源と、それぞれ電気接続を有し、かつ作動、照射及び断続的なフラッシュ、継続的な照射をさせるために選択された前記シグナルランプアセンブリの各ライトアセンブリを有する前記他の装置と電気通信するものである
【請求項１６】
請求項１５記載の指示ジャケットにおいて、前記１つの押しボタンスイッチは移動位置に割り当てられており、押された時、琥珀色ゾーンと白色ゾーンのシグナルライトアセンブリ及び赤色ゾーンのライトアセンブリであって継続的に照射するように割り当てられたものを自動的に停止し、照射及び断続的にフラッシュするように割り当てられた赤色ゾーンの前記ライトアセンブリを自動的に点灯させるものである。
【請求項１７】
請求項１５記載の指示ジャケットにおいて、前記１つの押しボタンスイッチは停止位置に割り当てられており、押された時、照射及び断続的にフラッシュするように割り当てられている琥珀色ゾーン及び赤色ゾーンの前記シグナルライトアセンブリを自動的に停止し、前記赤色及び白色ゾーンのライトアセンブリが継続的に照射するように点灯させるものである。
【請求項１８】
請求項１５記載の指示ジャケットにおいて、前記ホーン押しボタンスイッチは前記バッテリアセンブリ内の電源と電気接続され、電流は前記押しボタン、とりわけ前記ホーンアセンブリのサウンドモデュレーションのために前記ホーンアセンブリに割り当てられた他の装置を作動させるものである。
【請求項１９】
請求項１記載の指示ジャケットにおいて、前記指示ジャケットは前記バッテリアセンブリ内に電源を提供するものであって、これは前記安全指示ジャケットを介して前記スイッチパネルアセンブリ、前記ライトアセンブリ、前記ホーンアセンブリ、及び電流を要する他の必要な装置まで通る電気配線を介する電流のためのものであり、互いに電気通信をして前記ライトアセンブリが作動し、照射及び断続的にフラッシュし、また継続的に照射させるためのものである。
【請求項２０】
請求項１記載の指示ジャケットにおいて、前記指示ジャケットはＯＮ−ＯＦＦスイッチを有するものであって、前記ジャケットが使用されていない時、ＯＦＦ位置では任意の前記アセンブリ又は前記ジャケットの前記装置への電流が停止かつ完全に遮断され、ジャケットが使用されている時、ＯＮ位置では電流が供給されて全ての前記アセンブリ及び前記ジャケットの装置を作動させるものである。
【請求項２１】
請求項１記載の指示ジャケットにおいて、各前記ライトアセンブリは、琥珀色、赤色及び白色を示す色付きのカバーレンズを更に有するものである。
【請求項２２】
請求項２１記載の指示ジャケットにおいて、前記指示ジャケットには、悪天候の際、青色カバーレンズと取り替えるために、前記白色カバーレンズが配置される個所であって前記シグナルランプアセンブリのリッジ周辺に側方隆起が含まれる。
【請求項２３】
請求項８記載の指示ジャケットにおいて、前記指示ジャケットには、前記ランプアセンブリを前記ストラップ部材に固定するために、前記ベース部材の前記背面に２つのクリップ部材が含まれる。
【請求項２４】
請求項８記載の指示ジャケットにおいて、前記指示ジャケットには、前記シグナルランプアセンブリ及びスイッチパネルアセンブリの夫々にエレクトリカルジャンクションボックスが含まれ、これにより前記ランプアセンブリとスイッチパネルアセンブリは前記安全指示ジャケット部材を通るメインの電気配線から分離させることができる。
【請求項２５】
請求項１記載の指示ジャケットにおいて、前記指示ジャケットには、旋回シグナル、徐行シグナル及び停止指示器が照射された時、クリック音をさせるデバイサーが更に含まれる。
【発明の詳細な説明】
【技術分野】
【０００１】
本発明は、指示器及び警報機警報機を有するシグナルストラップジャケットに関し、特に、自転車、ローラーブレード、スケートボード、スキー、ジェットスキー、水上スキー、スノーモービルといった開放型の乗り物の操縦者向けのものである。より具体的には、この発明を制限する目的でないが、前記装置は電気通信によって作動し、操縦者の接近や、旋回方向、徐行、停止及び移動を示す指示器を開示し、また警報機のサウンドモデュレーションを示すものである。
【背景技術】
【０００２】
先行技術によれば、上述の目的は、特に自転車といった開放型の乗り物に指示器及び警報機を取り付けることによって満たされてきたものであり、この指示器は、道路やその付近にいる他のドライバー及び歩行者がはっきりと見ることができない可能性がある自転車の後方シートの周りに取り付けられるものである。しかし、大多数の自転車は全く指示器を具備しておらず、それらの操縦者は手信号を用いて道路にいる他の車両や歩行者に注意を促して警告をするものもいるが、警告をせずに突然に移動する操縦者もいる。更に、指示器を有する自転車であっても、一般的に、後方に有するのみで、前方には一切指示器を有しておらず、他の接近中の車両が前記開放型の乗り物の接近に気づかず、大規模な事故を招く可能性もあるので極めて危険である。ローラーブレード、スケートボード、スキー等の他の開放型の乗り物を使用する操縦者向けの指示システムはなく、通常、このような操縦者は視覚的な判断にのみに頼って高速度で走行する。叫び声や大声で彼らの接近方向に注意を促し警告をする操縦者もいるが、接近方向を示さずに単にお互い通過するだけの操縦者もいる。これは、他の乗用車と異なり、これらの操縦者が適切な指示システムを具備していないからである。しかし、しばしば、混乱、聴覚の欠如及び視覚の欠如等に起因する数多くの事故が毎日発生しており、いくつかはこれらの操縦者や他人の身体的な致命傷又は人命の喪失といった深刻なものとなっている。
【０００３】
上記はこの分野において非常に良く知られた問題であるが、満足のいく解決方法は見出されていない。今日、これら開放型の乗り物の操縦者には、通りや公園、その他の公共の場がより身近となって使用されており、事故の数が毎日増加している。
【０００４】
先行技術でいくつかの似たような発光式のジャケットが提案されてきているが、これらのジャケットは特に浮揚の目的のためのライフジャケットとして作られたものである。しかし、本発明は、先行技術のコンセプトや設計から実質的に離れて発明されたものであって、ジャケットに取り付けられた指示器を提供するものである。
【０００５】
Ｋｅｎｎｅｔｈ  Ｃ．Ｍｉｔｃｈｅｌｌ及びＬｉｎｄａ  Ｍ．Ｍｉｔｃｈｅｌｌによる１９９４年１２月６日付けの米国特許第５，３７０，５６６号の「Ｌｉｇｈｔｅｄ  ｌｉｆｅ  Ｊａｃｋｅｔ」では、水中で浮く人が注意を喚起し、そのライフジャケットの着用者の位置選定を容易にさせる浮揚ベストとして作られた発光ライフジャケットが開示されている。この発光ジャケットは、２つのライトアセンブリを正面部分に、そして１つのライトアセンブリを背面に含むものである。
【０００６】
Ｊｏｒｄａｎ，Ｊｏｈｎｎｉｅ  Ｂ．による１９６９年１０月２１日付けの米国特許第３，６２１，５０１号の「ｌｉｆｅ  ｐｒｅｓｅｒｖｅｒ  ｗｉｔｈ  ｆｌａｓｈｉｎｇ  ｄｉｓｔｒｅｓｓ  ｓｉｇｎａｌ」では、着用者が水中に入るとフラッシュして、シグナルを発するライトを具備したＵ形状の若しくは同等の浮揚カラーが開示されている。
【０００７】
上記先行技術はいずれも、ジャケットに固定され、開放型の乗り物の操縦者の旋回方向、移動、徐行及び停止を示す指示器及び警報機を有するものではない。従って、この発明は望ましいものである。なぜなら、本発明は、その他の車両、開放型の乗り物及び歩行者に対して注意や警告をすることなく、道路や公共の場を移動する開放型の乗り物の課題の解決を支援するものだからである。更に、この発明は相当の利点を使用者に提供するものであって、１つの指示器ジャケットは全てのアクティビティで使用されてもよいものである。
【発明の開示】
【課題を解決するための手段】
【０００８】
自転車、ローラーブレード、スノーボード、スキー、水上スキー等は、今日、人々の人気を博しているアウトドアアクティビティである。これら開放型の乗り物を運搬、スポーツ及び様々なエクササイズ目的で、雨や雪等だけでなく通常の天候下でも使用する多くの人々がいる。しかし、これら前記開放型の乗り物の大多数は、操縦者の接近、旋回方向、徐行、停止及び移動を示すための適切な指示器システムを具備するものではない。
【０００９】
本発明は、シグナルライトアセンブリと、スイッチパネルアセンブリ、及びバッテリアセンブリ内の電源に直接接続された他の装置とを有する６つのシグナルランプアセンブリが取り付けられたストラップジャケットの形状をしており、本発明において、前記アセンブリは互いに電気通信して作動し、照射及び断続的にフラッシュし、また継続的に照射し、旋回シグナル、移動シグナル、徐行シグナル及び停止シグナルを示す視覚的なシグナルや、警告シグナルのためのサウンドモデュレーション用にホーンアセンブリも作動させるものである。
【００１０】
本発明の主要な目的は、道路やその付近の他の車両、他の開放型の乗り物及び歩行者に対して注意を促すために、自転車、ローラーブレード、スケートボード、スキー、ジェットスキー、水上スキー、スノーモービルといった開放型の乗り物の操縦者に指示器及び警報機を提供することである。
【００１１】
本発明の別の目的は、スイッチ機構によって体系的に作動するシステムを提供することであって、ホーン警告のサウンドモデュレーションを含む前記指示器及び警報機は、操縦者の接近、方向の変化、移動、徐行及び停止を示して、他の車両、開放型の乗り物及び歩行者に注意を促し、道路やその付近の他の車両、開放型の乗り物及び歩行者に必要な予防措置をとらせ、安全に進ませるものである。
【００１２】
本発明の更なる目的は、安全指示ジャケットに取り付けられたシグナルランプの明確な視認性を提供することであって、全方向から接近する他の車両、他の開放型の乗り物及び歩行者から容易に見えるので、彼らが移動中、彼らは必要な安全予防措置を取るための十分な時間を持つことができる。
【００１３】
本発明の更なる目的は、開放型の乗り物の操縦者向けの交通案内システムを提供することであって、シグナルやホーン警告のサウンドモデュレーションによって互いにコミュニケートをし、各操縦者の接近、旋回方向、移動、徐行及び停止を示し、開放型の乗り物の操縦者に注意を促して必要な安全予防措置を取らせることを支援するものである。これは、操縦者同士や彼らの周囲の他人との間で生じる事故を最小限にするものである。
【００１４】
更なる目的は、様々なストラップで容易に調節してぴったり又はゆったりとさせる衣類であって、着用者の衣服の上から直接着用してもよく、安全指示ジャケットに取り付けられた信頼性がありかつ比較的安価な装置を提供することである。
【００１５】
別の目的は、安全指示ジャケットの任意の構成要素を変更させることなく、様々なアクティビティで着用することができる安全指示ジャケットを提供することである。
【００１６】
別の目的は、防水加工ベルトから作られた、好ましくはナイロン又は他の同様の防水加工材から作られた安全指示ジャケットと、防水のシグナルランプアセンブリと、ライトアセンブリと、ホーンアセンブリと、スイッチアセンブリと、バッテリアセンブリ内の電源と、他の装置とを提供することであって、使用者は前記安全指示ジャケットを様々なアクティビティで水、雪、およびいかなる悪天候下においても着用してよいものである。
【００１７】
別の目的は安全指示ジャケットを提供することであって、操縦者はシグナルランプを隠すことなくバックパック又は他の同様の袋を運ぶことができ、前記ランプを他人が視認することができるものである。
【００１８】
上記目的を達成するために、本発明は、電気通信するシグナルランプアセンブリ、ライトアセンブリ、スイッチパネルアセンブリ、バッテリアセンブリ内の電源、シグナルのための他の装置、好ましくは、バッテリ機構内の電源に接続されたスイッチ機構によってコントロールされる照射機構、が取り付けられた衣服形状のストラップジャケットを提供するものである。本発明に従うと、首周りに着用され左肩から右肩へと延びているショルダーパネル部材と、着用者の身体の背面左と右及び正面左と右に配置される４つのショルダーストラップ部材によって前記ショルダーパネル部材に結合されるウエストバンド部材と、側面ストラップ部材と、前記ショルダーストラップ部材に取り付けられ固定及び快適なジャケットを形成する胸部ストラップ部材とを有する防水加工ベルトから作られたストラップジャケットが提供されるものである。また、前記ジャケットは、シグナルランプを意味する６つのシグナルランプアセンブリであって、夫々が琥珀色ゾーン、赤色ゾーン、白色ゾーンの３つのカラーライトゾーンを有する前記６つのシグナルランプと、乗用車の後部に通常見られるような、照射及び断続的にフラッシュする又は継続的に照射するための１つ又は一連のライトを意味するライトアセンブリと、前記ライトを作動して照射及び断続的にフラッシュさせ又は継続的に照射させるためのその他の装置であって、上記カラーゾーンを示す色付きカバーレンズを含む、前記その他の装置とを組み込むものである。
【００１９】
シグナルランプアセンブリは下記の手順で機能する、（ａ）旋回シグナルとして、琥珀色ゾーンでライトアセンブリを照射及び断続的にフラッシュさせる、（ｂ）徐行シグナルとして、琥珀色及び赤色ゾーンの両方でライトアセンブリを照射及び断続的にフラッシュさせる、（ｃ）停止シグナルとして、フラッシュせずに白色及び赤色ゾーンの両方でライトアセンブリをさらに照射させる、（ｄ）移動シグナルとして、赤色ゾーンでライトアセンブリを照射及び断続的にフラッシュさせる。本発明では、特にスキーヤーや悪天候下で乗っているスノーモービルライダー向けに、白色ライトがはっきりと見ることができない時、青色カバーレンズを白色カバーレンズ上に置き換える方法を提供することが重要なものである。
【００２０】
２つのアームシグナルランプアセンブリが、左右のショルダーパネル部材に配置されたアームストラップ部材に貼り付けられており、図５に示されるように、前記ランプの両方は着用者のアームの上側に配置される。他の４つのシグナルランプアセンブリのうち、２つは背面左右のショルダーストラップ部材に固定され、他の２つの正面シグナルランプアセンブリは正面左右の補助的なショルダーストラップ部材に固定され、正面ショルダーストラップ部材の長め部分に配置されているものであって、前記補助的なショルダーストラップの一端は長いショルダーストラップ部材に貼り付けられ、他端は「Ｖｅｌｃｒｏ（登録商標）」要素によってショルダーパネル部材に固定されており、これにより前記補助的なショルダーストラップ部材は、必要に応じて、前記ショルダーパネル部材から外したり締めたりする柔軟性を有する。これは、図１３に示されるように、操縦者が「バックパック」を運ぶために「バックパック」ストラップを正面ショルダーアームの上に着用する必要がある時、前記正面シグナルランプアセンブリが「バックパック」ストラップから隠れることを防止するものである。背面シグナルランプアセンブリは、背面左右のショルダーストラップ部材の上側にフィットされており、図１４の背面シグナルランプの隣に破線で示されるように、これによって前記ランプアセンブリは使用者のアームへ向かって旋回及び移動することができる。また、これは、主に操縦者が「バックパック」又は同様のバッグを背面シグナルランプアセンブリをシールドすることなく運べるように、十分な背面スペースを提供するものである。
【００２１】
更に、この安全指示ジャケットは、スイッチと、ワイヤと、前記指示器を作動及びコントロールする押しボタンスイッチに直接接続された他の装置とを意味する２つのスイッチパネルアセンブリを組み込むものであって、各スイッチパネルアセンブリは、正面左右のショルダーストラップ部材に貼り付けられシグナルランプアセンブリの前記ライトアセンブリと接続されているスイッチパネルに配置された３つの押しボタンスイッチを有するものであり、前記シグナルライトアセンブリはスイッチパネルアセンブリによってコントロールされ、作動、照射及び断続的にフラッシュし、又は作動して継続的に照射するものである。更に、バッテリアセンブリ内の電源と、全てのライトアセンブリ、スイッチパネルアセンブリ、バッテリアセンブリ内の電源及び電気通信をし、前記ライトアセンブリを作動させ、照射及び断続的にフラッシュ又は継続的に照射させることができる他の装置に直接接続された複数のワイヤとを含むものである。
【００２２】
各前記ライトアセンブリは、スイッチパネルアセンブリに取り付けられている押しボタンスイッチによってコントロールされるものである。左スイッチパネルアセンブリは、左旋回シグナル、徐行シグナル及び停止シグナル用に、琥珀色ゾーン、赤色ゾーン及び白色ゾーンのライトアセンブリをそれぞれコントロールするものである。右スイッチパネルアセンブリは、右旋回シグナル用に琥珀色ゾーンを、移動シグナル用に赤色ゾーンをコントロールし、ホーンアセンブリも作動させる。
【００２３】
スイッチパネルアセンブリの押しボタンスイッチは、下記の手順で機能する。（ａ）左スイッチパネルアセンブリに載置された左旋回シグナル用の押しボタンスイッチは、押された時、左アーム、左正面及び左背面に配置された左ランプの琥珀色ゾーンのライトアセンブリを照射及びフラッシュして左旋回シグナルを示す。（ｂ）右スイッチパネルアセンブリに配置された右旋回シグナル用の押しボタンスイッチは、押された時、右アーム、右正面及び右背面の琥珀色ゾーンのライトアセンブリを照射及び断続的にフラッシュして右旋回シグナルを示す。（ｃ）徐行シグナル用の押しボタンスイッチは、左スイッチパネルアセンブリに配置されており、押された時には、全側面の琥珀色ゾーン及び赤色ゾーンのライトアセンブリが照射及びフラッシュし、操縦者が徐行準備又は徐行をしていることを示す。（ｄ）停止シグナル用の押しボタンスイッチは、左スイッチパネルアセンブリに配置されており、押された時には、全側面の赤色ゾーン及び白色ゾーンのライトアセンブリがフラッシュせずに継続的に照射し、操縦者が完全に停止していることを示す。（ｅ）右スイッチパネルアセンブリに配置された移動シグナル用の押しボタンスイッチは、押された時、琥珀色ゾーン、白色ゾーン及び赤色ゾーンの全ライトアセンブリを自動的に停止し、フラッシュモードにして赤色ゾーンのライトアセンブリを断続的に照射し、操縦者が移動位置であることを示す。これは、操縦者が移動位置にある間、旋回用の琥珀色ライト、停止用の白色ライト及び赤色ライトのスイッチを切り忘れた操縦者を支援するものである。
【００２４】
ホーンアセンブリは、ホーンスイッチアセンブリ及びホーン押しボタンスイッチに接続されているウエストバンド部材の正面に配置され、正面右ショルダーストラップ部材の右スイッチパネルアセンブリに配置されている。ホーンアセンブリ及びホーン押しボタンスイッチは、電気通信のために、複数のワイヤによってバッテリアセンブリ内の電源に接続されている。ホーンアセンブリ用の右押しボタンスイッチは、押された時、ホーンアセンブリのサウンドモデュレーションを作動させ、警告シグナルを示す。
【００２５】
更に、本発明は、バッテリアセンブリ内の電源が配置されているウエストバンド部材の背面にＯＮ−ＯＦＦスイッチアセンブリを提供するものであって、前記スイッチがＯＦＦ位置にある時、全電気通信は作動せず、ジャケットが使用されてない時、前記シグナルライトアセンブリ、前記スイッチパネルアセンブリ、前記ホーンアセンブリ、及び他の全装置を停止させるものである。前記スイッチがＯＮ位置にある時、全電気通信は、操縦者が前記安全指示ジャケットを使用する必要がある場合の全ての前記アセンブリを作動する。
【００２６】
本発明の更なる特徴及び利点は、図面と共に、本願明細書の下記の詳細な説明から明確にされるものである。
【発明を実施するための最良の形態】
【００２７】
具体的には図１から図１５において、安全指示ジャケット部材は全般的に参照番号１０で示される。参照する図１は安全指示ジャケットの正面図であり、また、図２は安全指示ジャケットの背面図であって、通常のシャツの上から直接着用された本発明の部材１０が示されており、この部材は、幅広の快適なショルダーパネルを意味するショルダーパネル部材であって、左肩から右肩まで達し、図５に示されるように首周りに着用され、図６に示されるように外側のフラップ１３とフラップ１２を重ねて分かれた正面部分を「Ｖｅｌｃｒｏ（登録商標）」要素４４によって固定するようにした前記ショルダーパネル部材１１と、図７及び８に示されるようなベルト式ストラップ（ｗｅｂｂｉｎｇ  ｓｔｒａｐ）を意味するウエストバンド部材１４であって、前記ショルダーパネル部材１１の対向側において４本のショルダーストラップ部材１６で取り付けられている前記ウエストバンド部材１４とを含み、前記安全指示ジャケットは使用者によってしっかりと着用される。図７に示されるように、胴回りにのウエストバンド部材１４は、簡易着脱型のバックル部材１５によって固定及び調節されるものであって、前記ウエストバンド部材１４の一方は前記バックルの１つのセグメント１５ａに取り付けられ、前記ウエストバンド部材の他方は前記バックルのレセプタクルセグメント１５ｂに取り付けられており、それによって両セグメントは片方のセグメントが他方のセグメントに挿入されることによって締められる。
【００２８】
図７及び８を参照すると、４本のショルダーストラップ部材１６を有する前記安全指示ジャケット部材１０の正面及び背面図の拡大イメージが示されており、前記ストラップ部材１６のうち２本は正面の左右に配置され、前記ショルダーストラップ部材の他の２本は前記安全指示ジャケット部材１０の背面の左右に配置されている。図７に示されるように、正面の前記ショルダーストラップ部材１６の夫々は、着用者の胸部からウエストバンド部材１４の正面部分にかけて、前記ショルダーパネル部材１１の左正面及び右正面から延びている。更に、前記正面ストラップ部材１６の夫々は、長め部分１６ａ及び短め部分１６ｂの２つの部分に分かれており、前記部分の両方が簡易着脱プラスチック型のバックル部材１７又は他の同タイプの簡易着脱式バックルによって結合及び調整されるものである。左右正面ショルダーストラップ部材１６ａの各長め部分の上端は、左右正面ショルダーパネル部材１１に夫々、縫合手段又は他の同様の方法で永久的に貼り付けられ、各前記ショルダーストラップ１６ａの下端はバックル１７の一片１７ａに取り付けられる。短いショルダーストラップ１６ｂの一端はウエストバンド部材１４に縫合又は他の同様の方法によって永久的に貼り付けられ、前記短いストラップ１６ｂの上端はバックル部材１７のレセプタクル部材１７ｂに取り付けられ、両方の部分１６ａ及び１６ｂのショルダーストラップ部材はバックル１７の使用によって結合される。
【００２９】
図３に示されるように、正面の左右ショルダーストラップ部材１６ａの上部は補助的なストラップ部材１８と重なり、前記補助的なストラップ部材１８の下端はサイドストラップ部材２０の位置する個所でショルダーストラップ１６ａに永久的に貼り付けられ、他端は「Ｖｅｌｃｒｏ（登録商標）」要素４４でショルダーパネル部材１１に固定されるものであり、操縦者がバックパックを運ぶ際、前記補助的なストラップ部材１８は固定する又はショルダーパネル部材１１から外される機能を有するものである。図３に示されるように、更に、Ｖｅｌｃｒｏ（登録商標）要素４４を有する複数のフラップ部材１９が提供され、前記フラップは自由端（ｆｒｅｅ  ｅｎｄ）を有し、これによって前記フラップを自由端から開いてショルダーストラップ部材上で「バックパック」ストラップ１０２を位置決めし、また前記フラップ部材１９を図３に示されるように「バックパック」ストラップ上で閉じ、さらに図１に示されるように、補助的なショルダーストラップ１８をフラップ部材１９上でショルダーパネル部材１１に固定させることができるものであって、一端は正面ショルダーパネル１６ａに貼り付けられ、他端は自在なもの（ｆｒｅｅｌｙ  ａｌｌｏｗｉｎｇ）である。このフラップ部材１９は、「Ｖｅｌｃｒｏ（登録商標）」要素４４を有し、正面シグナルランプアセンブリ２７の後ろに貼り付けられた別の「Ｖｅｌｃｒｏ（登録商標）」要素に固定される。この方法は、正面シグナルランプが「バックパック」ストラップ１０２によって隠れることを防止するものである。図２及び８は、左右の背面ショルダーストラップ部材１６を示すものであり、両方とも背面ショルダーパネル部材１１から安全指示ジャケット部材１０のウエストバンド部材１４の背面部に延びる。示されるように、各前記背面ショルダーストラップ部材１６の一端はショルダーパネル部材１１に貼り付けられ、他端はウエストバンド部材１４に貼り付けられており、これによって両方の背面ショルダーストラップ１６は着用者のアーム側により近接して位置決めされ、図１５に示されるように、操縦者が背面シグナルランプアセンブリ２７を隠すことなく「バックパック」１０１又は同様のバックを背中で運ぶために、左右のバックショルダーストラップ部材１６の間に十分なスペースができる。これは、「バックパックの運搬」においてより詳細に説明されるものである。
【００３０】
ショルダーストラップ部材１６をシフトすることなく所定位置にとどまらせるために、また、図４に示されるように、前記ストラップを互いに適切にしっかり固定させるために、一対の側面ストラップ部材２０が安全指示ジャケット部材１０の左右両側に提供される。図７及び８に示されるように、前記側面ストラップ部材２０の夫々は、正面部分及び背面部分の２つの部分を有し、正面部分の一端は正面ショルダーストラップ部材１６に貼り付けられ、他端はバックル部材２１の一部分２１ａに取り付けられている。図８に示されるように、前記側面ストラップ部材２０の背面部分の一端は背面ショルダーストラップ部材１６に取り付けられ、他端はバックル部材２１のレセプタクル部分２１ｂに取り付けられ、これにより図４に示されるように、前記部分の左正面及び左背面、右正面及び右背面がバックル２１の使用によって互いに結合される。
【００３１】
図１、７及び８に示されるように、胸部ストラップ部材２２が安全指示ジャケット部材１０の周り、側面ストラップ部材２０の下方に更に提供され、２つの左右正面部分と１つの背面部分との３つの部分を有しており、バックル部材２３、２４及び２５を含むものである。図７に示されるように、正面左部分は正面左ショルダーストラップ部材１６ａに永久的に取り付けられており、それにより前記部分の一端はバックル部材２５ａの一部分に取り付けられ、他端はバックル部材２４ｂのレセプタクル部分に取り付けられる。前記正面胸部ストラップ部材２２の正面右部分は右ショルダーストラップ部材１６ａに永久的に取り付けられており、バックル部材２３ａの一部分に取り付けられた一端とバックル部材２４ａの一部分に取り付けられた他端とを有するものである。図８に示されるように、胸部ストラップ部材２２の背面部分は背面左及び背面右ショルダーストラップ部材１６に永久的に貼り付けられており、前記背面胸部ストラップ部材２２の一端はレセプタクル部分２５ｂに取り付けられ、他端はレセプタクル部分２３ｂに取り付けられ、そこにおいて前記胸部ストラップ部材２２の全前記部分は、バックル部材２３ａを２３ｂに、２５ａを２５ｂに、そして２４ａを２４ｂに夫々挿入及び固定することによって互いに結合されるものである。
【００３２】
図６に示されるように、一対のアームストラップ部材２６が左右両方のショルダーパネル部材に提供され、シグナルランプアセンブリ３４を保持し、それにより前記シグナルランプアセンブリは前記アームストラップ部材２６を介して挿入される。
【００３３】
ショルダーパネル部材１１及びウエストバンド部材１４を含む全ストラップ部材１６、１８、２０、２２、２６及びフラップ１９は、防水加工のナイロン又は他の同様のベルト材から作られ、その目的のため及びいかなる天候状態でも保護されるように用いられてもよい。ストラップ部材は、安全指示ジャケット部材１０の柔軟性の目的のために、縫合（ｓｔｉｔｃｈｉｎｇ）、バックリング、「Ｖｅｌｃｒｏ」の使用又は他の同様の方法によって共に結合され、前記安全指示ジャケット部材１０を着用者の身体にぴったり合わせて又は余裕をもって着用させることができる。例えば；特にスポーツ嗜好の操縦者は、身体にフィットするスポーツアウトフィットを着用することを好むが、この場合、使用者は前記ジャケットが身体にしっかりとフィットするまで前記ストラップの全てを調節することができる。ルーズでたるんだ服装の着用を好む者は適宜そのストラップを緩めてもよい。
【００３４】
図１及び２に示されるように、前記正面左及び正面右の補助的なショルダーストラップ部材１８と、背面左及び背面右のショルダーストラップ部材１６の夫々がシグナルランプアセンブリ２７を有しており、前記シグナルランプアセンブリは、琥珀色ゾーン２８、赤色ゾーン２９及び白色ゾーン３０の３つのカラーゾーンに分けら、また、図１１に示されるように、電球又は光線を発する一連のバルブであるバッテリ式ライトアセンブリ３１と、前記ライトアセンブリを断続的に作動し、照射及び断続的にフラッシュさせ、及び継続的に照射させるために必要な任意のデバイサーである他の装置とを含むものである。更に、図１１に示されるように、電気通信用のホルダ及びワイヤ４２、色付きカバーレンズ３２、及び前記アセンブリの全てを保持するためのベース部材３３が含まれる。加えて、２つのシグナルランプアセンブリ３４は、図５及び６に示されるように安全指示ジャケット部材１０の左右両肩側の便宜的な位置で、ショルダーパネル部材１１にあるアームストラップ部材２６に固定されており、前記シグナルランプアセンブリ３４は操縦者のどちらか片側から接近してくる他の車両、開放型の乗り物又は歩行者に対して明確に示すことができる。更に、前記シグナルランプアセンブリ３４は、シグナルランプアセンブリ２７と同様に、琥珀色ゾーン２８、赤色ゾーン２９、白色ゾーン３０の３つのカラーゾーンに分けられている。図１、２及び６に示されるように、符号２８、２９及び３０において、各前記シグナルランプアセンブリ２７及び３４は、（ａ）左右旋回、徐行シグナル用の琥珀色ゾーン２８、（ｂ）移動用の、また徐行や停止シグナルとしても使用される赤色ゾーン２９、（ｃ）停止シグナル用の白色ゾーン３０、を意味するカラーゾーンによって示されるものである。この操作システムはこのセクションの下記で詳細に説明される。
【００３５】
全ての前記シグナルランプアセンブリ２７、３４は、成形プラスチック又は同様の硬質材で作られるものである。更に、ベース部材３３は、ライトアセンブリ３１と、ライトソケット及び電気の配線を含むその他の装置とを保持する支持材を提供するものである。図９に示されるように、前記正面ランプアセンブリ２７の背面部分は、補助的なストラップ部材１８が挿入されるための十分なスペースを与える２つの開口端を有するものであり、また、クリップ部材３５がベース部材３３の背面で上下に提供されて、前記ランプアセンブリ２７を補助的なショルダーパネル１８に固定し、更に、必要に応じて新たなシグナルランプアセンブリと取り替えるため、前記シグナルランプアセンブリ２７を補助的なショルダーストラップ部材１８から完全に取り外すことを可能にさせる、前記ベース部材３３の中間を通る狭い開口を有するものであり、また、「Ｖｅｌｃｒｏ（登録商標）」要素４４が狭い開口の両側に提供されて、前記補助的なショルダーストラップ部材１８をフラップ部材１９にショルダーストラップ部材１６ａ上で固定させる。図１２に示されるように、背面ショルダーシグナルランプアセンブリ２７は、一箇所のアタッチメントからなる異なるベース部材３３を有するものであり、図１２及び１５に示されるように、操縦者が「バックパック」１０１を運ぶ必要がある時、前記シグナルランプアセンブリ２７は操縦者のアーム方向へ移動可能である。また、前記ランプアセンブリの背面は「Ｖｅｌｃｒｏ（登録商標）」要素４４を有するものであり、図８に示されるように、平面ショルダーストラップ部材１６において他の「Ｖｅｌｃｒｏ（登録商標）」要素４４と固定される。先行技術で公知の雄部分及び雌部分を有する配電盤４３が提供された、図１１及び１４に更に示されるように、一部分が安全指示ジャケットを介して前記ランプアセンブリ及び前記スイッチアセンブリまで通るワイヤ４２に接続され、他の部分が前記シグナルランプアセンブリ及び前記スイッチアセンブリからくるワイヤ４２に接続されている。これは、使用者が必要に応じて新たなシグナルランプアセンブリ又はスイッチアセンブリに取り替える必要がある場合、前記シグナルランプアセンブリ及びスイッチアセンブリを前記セーフティジャケット部材から取り外すことを支援するものである。
【００３６】
図１１に示されるように、前記シグナルランプアセンブリ２７、３４のカバーレンズ部材３２は、通常、乗用車のテールライトに見られる半透明若しくは透明の色付きプラスチック又は同様の材料から作られるのが好ましい。更に、白光が明瞭に見えない場合、特に悪天候下で乗るスキーヤー又はスノーモービルの運転手向けに、白色ゾーンを青色ゾーンに変更するための付加的な青い色付きカバーレンズが提供される。前記青色レンズを白色レンズ上にしっかり固定させため、そして前記カバーを取り外す又は挿入することを可能にするため、白光カバーレンズが位置する場所に、図１０に示されるように、シグナルランプアセンブリのリッジ周辺に３つの側面隆起４５が更に提供されるものである。
【００３７】
図１４に示されるように、２つのスイッチパネルアセンブリ３７は、それぞれ、正面左右のショルダーストラップ部材１６ａに取り付けられた３つの押しボタンスイッチを有するものである。このスイッチパネルアセンブリ３７は、押しボタンスイッチ３８ａ、３８ｂ、３８ｃ、３８ｄ、及び３８ｅによって操作され、前記シグナルライトアセンブリ３１の電気的な通信及び作動、照射及び断続的なフラッシュ又は継続的な照射をコントロールし、また、前記シグナルランプ２７及び３４の前記ライトアセンブリ３１に対する電力をコントロールするスイッチアセンブリと電気的に接続されたものである。これらのスイッチパネルアセンブリ３７は、プラスチックベース又は同様の硬質材の上に載置され、図７に示されるように、縫合、接着若しくは他の同様の方法で左右のショルダーストラップ部材１６ａに貼り付けられるものである。このライトアセンブリ３１は、バッテリアセンブリ３９内の電源に接続されている前記スイッチパネルアセンブリ３７によって直接コントロールされるものである。バッテリアセンブリ３９とは、ライトアセンブリ３１、ホーンアセンブリ４０、スイッチパネルアセンブリ３１、ホーン押しボタンスイッチ３８ｆ又は作動用に電気通信を要する任意の他の装置に電力を供給するバッテリ及び他の装置を意味するものである。作動用の電気通信とは、前記スイッチパネルアセンブリ３７及びライトアセンブリ３１と、前記他の装置とを作動させるものであって、前記スイッチパネルアセンブリ及び前記ライトアセンブリと、前記他の装置とに電力を供給して電力に対して同時に反応させ、かつ前記スイッチパネルアセンブリ３７及び前記ライトアセンブリ３１と、他の装置とに電流を提供し、前記ライトアセンブリ３１を選択的にコントロールして照射及び断続的にフラッシュさせ、又は継続的に照射させるものである。更に、ホーンアセンブリ４０及びホーン押しボタンスイッチ３８ｆにも前記ホーンアセンブリのサウンドモデュレーション用に提供するものである。図１及び７に示されるように、ホーンアセンブリ４０とは、先行技術における一般的に周知のサウンドモデュレーションであって、ウエストバンド部材１４の正面右側に位置し、ホーンスイッチアセンブリ４１ｆと電気的に通信して前記ホーンアセンブリ４０の音声を起動するものである。更に、各前記アセンブリへの電流向けに、シグナルストラップジャケット部材１０を通る複数のワイヤ４２が提供され、各前記左右のスイッチパネルアセンブリ３７、ライトアセンブリ３１、ホーンアセンブリ４０、バッテリアセンブリ３９内の電源、及び作動に電流を要する他の装置の適切な個所において電気通信するために、電気接続される。
【００３８】
図１４に示されるように、左スイッチパネルアセンブリ３７は３つの押しボタンスイッチによって作動されるものであって、押しボタンスイッチ３８ａが左シグナル用、押しボタンスイッチ３８ｂが徐行シグナル用、押しボタンスイッチ３８ｃが停止シグナル用のものである。また、右スイッチパネルアセンブリ３７も３つの押しボタンスイッチによって作動されるものであって、押しボタンスイッチ３８ｄが右シグナル用、押しボタンスイッチ３８ｅが移動シグナル用、押しボタンスイッチ３８ｆがホーンシグナルのためのサウンドモデュレーション用のものである。全ての前記押しボタンスイッチアセンブリは下記のように作動するものである。
【００３９】
第１に、操縦者は、操縦者が左折する準備をしていること及び左折していることを示すために左の琥珀色ゾーン２８のライトアセンブリ３１のみを照射する必要があり、この操縦者が左スイッチパネルアセンブリ３７の押しボタンスイッチ３８ａを押す。これが、左正面、背面及び側面のシグナルランプアセンブリ２７及び３４にある琥珀色ゾーン２８に配置されたライトアセンブリ３１を照射及び断続的にフラッシュさせる。
【００４０】
第２に、右スイッチパネルアセンブリ３７の押しボタンスイッチ３８ｄが押されると、右正面、背面及び側面のアームシグナルランプアセンブリ２７及び３４に配置されている琥珀色ゾーン２８にある前記右ライトアセンブリ３１を作動させ、照射及び断続的にフラッシュさせ、操縦者が右折する準備をしていること及び右折していることを示す。
【００４１】
第３に、左スイッチパネルアセンブリ３７の押しボタンスイッチ３８ｂが押されると、全ての前記左右のランプアセンブリ２７及び３４にある赤色ゾーン２９及び琥珀色ゾーン２８に配置された全赤色ライトアセンブリ３１を作動させ、照射及び断続的にフラッシュさせ、操縦者が徐行する準備をしていること及び徐行していることを示す。
【００４２】
第４に、左スイッチパネルアセンブリ３７の押しボタンスイッチ３８ｃが押されると、全ての前記左右のランプアセンブリ２７及び３４にある白色ゾーン３０及び赤色ゾーン２９のライトアセンブリ３１を作動させ、照射及び明るくさせ、操縦者が停止位置であることを示す。更に、押しボタンスイッチ３８ｃはシグナルライトアセンブリ３１の夫々に電気接続されており、琥珀色ゾーン２８にあるライトアセンブリ３１を停止させ、赤色ゾーン２９にあるフラッシュモードのライトアセンブリも停止させる。例えば；操縦者が停止位置にいる場合、白色ゾーン及び赤色ゾーンのライトアセンブリのみがフラッシュなしで継続的に照射する。
【００４３】
第５に、押しボタンスイッチ３８ｅが押されると、ランプアセンブリ２７、３４にある全ての左右の赤色ゾーン２９に配置されたライトアセンブリ３１を作動させ、照射及び断続的にフラッシュさせ、操縦者が移動位置にいることを示す。更に、前記スイッチ３８ｅは、琥珀色ゾーン２８、色々ゾーン３０、及び赤色ゾーン２９のライトアセンブリ３１に接続されて電気通信し、操縦者が前記押しボタンスイッチ３８ｅを押すと、カラーゾーン２８、２９、３０に配置された全シグナルランプアセンブリ３１は自動的に停止し、赤色ゾーン２９をフラッシュライトモードになる。更に、旋回シグナル、徐行シグナル及び停止指示器が照射される場合、（旋回指示器を点けた時の自動車に通常見られるような）クリック音をさせる装置が提供されるものである。これは、操縦者に警告し、操縦者が移動している時、その付近の他のドライバーや人々を混乱させる旋回及び停止指示器を切させることに役立つものである。
【００４４】
図１及び７に示されるように、ホーンアセンブリ４０はウエストバンド部材１４の正面右側に配置されており、右スイッチパネルアセンブリ３７に配置されたホーンスイッチアセンブリ３８ｆに接続されて電気通信をし、また、バッテリアセンブリ３９の電源にも複数のワイヤ４２を介して電流を受け入れるために接続されている。押しボタンスイッチ３８ｆが押されると、ホーンアセンブリ４０は、ホーンアセンブリのサウンドモデュレーションのために電気的に作動する。前記ホーンアセンブリ４０のベースは、成形プラスチック又は他の同様の材料及びホーンアセンブリが水に接触する機会を減少させる防水ベルトで作られるものである。
【００４５】
図２及び８に示されるように、前記安全指示ジャケット部材１０は、バッテリアセンブリ内の電源が配置されているウエストバンド部材の背面にＯＮ−ＯＦＦスイッチアセンブリ４６を有し、前記スイッチがＯＦＦ位置にある場合、前記電気通信は停止され、前記シグナルライトアセンブリ、前記スイッチパネルアセンブリ、前記ホーンアセンブリ、及びその他の全装置の電気はジャケットが使用されてない時に遮断される。前記スイッチがＯＮ位置にある場合、操縦者が前記安全指示ジャケットを使用する必要がある際、全電気通信は全ての前記アセンブリで作動する。
【００４６】
図２及び８に示されるように、前記安全指示ジャケット１０は、胸部ストラップ部材２２とウエストバンド部材１４の間で前記ジャケット１０の背面に２つのポーチを有しており、ウエストバンド部材１４と、左ショルダーストラップ部材１６、胸部ストラップ部材２２及びショートストラップ部材４１に貼り付けられている。右ポーチは、図２及び８に示されるように、対向側の左ポーチと同様に貼り付けられており、各ポーチは２つのコンパートメントに分けられている。右ポーチの第１のコンパートメントは、左アセンブリ３１と、ホーンアセンブリ４０と、スイッチパネルアセンブリ３７と、電気操作を必要とするほかの装置とに電力を供給するバッテリアセンブリ３９内の電源を保持するものである。別のコンパートメントは、バッテリアセンブリ３９内の電源用の予備のバッテリを収納するためのものである。また、右ポーチは、携帯電話、水筒若しくは操縦者が要する任意の他の必要なアイテムを運ぶための十分なスペースを提供する２つのコンパートメントを提供するものでもある。更に、電気回路、電子チップ、フューズ及びフラッシュが適切な個所に配置され、標準タイプの全バルブが一般的にこの目的のために使用される。
【００４７】
図１５に示されるように、「バックパックの運搬」では、開放型の乗り物に乗っている間、操縦者が一般的にバックパックを運ぶものである。多くの前記バックパックは正面ショルダーストラップ及び様々な他のストラップで作られるものであり、バックパックをサポートし、また、バックパックを身体に快適に固定させる。しかし、操縦者が安全指示ジャケット部材１０を着用している最中にバックパックを必要とする場合、バックパックの２つの正面ストラップが安全指示ジャケットの正面シグナルランプアセンブリを妨害及びシールドしてしまうので、問題の原因となる場合がある。この問題を扱うため、本発明は、図３に示されるような独自のハーネスシステムを提供するものである。第１に、補助的なショルダーストラップ部材１８をショルダーパネル部材１１から外し、着用者のアームにバックパックの正面ストラップ１０２をかけてバックパック１０１を背負う。第２に、フラップ部材１９をバックパックショルダーストラップ１０２の上に取り付け、前記補助的なストラップ部材１８を前記バックパックストラップ１０２に重ねてショルダーパネル１１に固定し、図１に示されるようにショルダーパネル部材１１を固定させる。
【００４８】
図１５に示されるように、背面シグナルランプアセンブリ２７は、この問題を克服するために異なる手順で貼り付けられるものであって、着用者がバックパック１０１を運ぶ必要がある場合、前記背面シグナルランプアセンブリ２７はランプアセンブリ２７が着用者のアーム方向へ移動する柔軟性を有し、図８、１２及び１３に示されるように前記ランプアセンブリ２７の背面及びショルダーストラップ部材に与えられているＶｅｌｃｒｏ要素４４によって前記ランプアセンブリ２７がショルダーストラップ部材１６に固定される。
【００４９】
指示器ジャケットは、簡易に折りたたみ、ポーチに入れ、容易に手で運べ、ウエスト周囲に固定されるものであってもよい。バッテリポーチ部材３９内の電源は、容易に開いてバッテリを前記コンパートメントから取り出すことができるものである。また、シグナルランプアセンブリ２７及び３４のレンズカバー３２も、バルブの交換用に取り外されてもよいものである。
【００５０】
本発明は本願明細書の詳細な説明及び図面に限定されるものではなく、形状、サイズ及びパーツの配置や、図面の詳細における様々な変化は、添付の特許請求の範囲において定義された発明の精神及び範囲から逸脱せずに他の方法においてなされてもよい。
【図面の簡単な説明】
【００５１】
【図１】図１は、シャツの上に着用された本発明を示す正面図である。
【図２】図２は、シャツの上に着用された本発明の背面図である。
【図３】図３は、本発明の正面図であり、ショルダーパネル部材から解かれた補助的なショルダーストラップ部材を示し、図１のライン３−３に沿うものである。
【図４】図４は、いくつかのパーツが示された本発明の側面図であり、図１のライン４−４に沿うものである。
【図５】図５は、正面及び使用者により着用された１つのショルダーパネル部材の図であり、図１のライン５−５に沿うものである。
【図６】図６は、図１のライン６−６に沿った安全指示ジャケットのショルダーパネル部材である。
【図７】図７は、拡大した正面図であり、図１のライン７−７に沿うものである。
【図８】図８は、拡大した背面図であり、図１のライン８−８に沿うものである。
【図９】図９は、シグナルランプ部材の背面の斜視図であり、図３のライン９−９に沿うものである。
【図１０】図１０は、シグナルランプ部材の正面の斜視図であり、図１のライン１０−１０に沿うものである。
【図１１】図１１は、シグナルライトアセンブリを示すシグナルランプアセンブリの拡大側面図であり、図１のライン１１−１１に沿うものである。
【図１２】図１２は、バックシグナルランプアセンブリの図であり、破線で示された前記ランプアセンブリは旋回機能を有し、図１のライン１２−１２に沿うものである。
【図１３】図１３は、バックシグナルランプアセンブリのバックフェイスセクションの図である。
【図１４】図１４は、押しボタンスイッチを示すスイッチパネルアセンブリの図であり、図７のライン１４−１４に沿うものである。
【図１５】図１５は、バックセクションの斜視図であり、バックシグナルランプアセンブリが旋回することなくバックパックを背負う使用者を示す。
【図１】
2004537660.tif 000003
【図２】
2004537660.tif 000004
【図３】
2004537660.tif 000005
【図４】
2004537660.tif 000006
【図５】
2004537660.tif 000007
【図６】
2004537660.tif 000008
【図７】
2004537660.tif 000009
【図８】
2004537660.tif 000010
【図９】
2004537660.tif 000011
【図１０】
2004537660.tif 000012
【図１１】
2004537660.tif 000013
【図１２】
2004537660.tif 000014
【図１３】
2004537660.tif 000015
【図１４】
2004537660.tif 000016
【図１５】
2004537660.tif 000017
【国際公開パンフレット】
2004537660.tif 000018
2004537660.tif 000019
2004537660.tif 000020
2004537660.tif 000021
2004537660.tif 000022
2004537660.tif 000023
2004537660.tif 000024
2004537660.tif 000025
2004537660.tif 000026
2004537660.tif 000027
2004537660.tif 000028
2004537660.tif 000029
2004537660.tif 000030
2004537660.tif 000031
2004537660.tif 000032
2004537660.tif 000033
2004537660.tif 000034
2004537660.tif 000035
2004537660.tif 000036
2004537660.tif 000037
2004537660.tif 000038
2004537660.tif 000039
2004537660.tif 000040
2004537660.tif 000041
2004537660.tif 000042
2004537660.tif 000043
2004537660.tif 000044
2004537660.tif 000045
2004537660.tif 000046
2004537660.tif 000047
2004537660.tif 000048
2004537660.tif 000049
【国際公開パンフレット（コレクトバージョン）】
2004537660.tif 000050
【国際調査報告】
2004537660.tif 000051
2004537660.tif 000052
2004537660.tif 000053